(57)【要約】【課題】ベルト寄り調整機構の近傍に濃度調整機能を備えながら精度の高い濃度補正を行うことができる画像形成装置を提供する。【解決手段】ＫＣＭＹの色順で濃度調整モード設定（Ｓ１）。転写ベルト３４上に濃度補正用パッチＰ１〜Ｐ８を印字（Ｓ２）。濃度センサ３７で濃度パッチＰ（Ｐ１〜Ｐ８）と前後のベルト面を測定（Ｓ３）。「ベルト面基準出力値／（濃度パッチＰの前のベルト出力＋濃度パッチＰの後のベルト面出力）／２）＊パッチ出力」を計算、濃度センサ値を補正（Ｓ４）。補正された濃度センサ３７の出力値と予め記憶されている基準濃度とを比較、トナー濃度を補正すべき現像バイアス値を算出し所定の記憶領域に格納（Ｓ５）、ＣＭＹＫの各色の処理が完了したかを調べ（Ｓ６）、否なら（Ｓ６がＮＯ）、処理Ｓ２に戻る。可なら（Ｓ６がＹＥＳ）、濃度調整処理終了（Ｓ７）。【選択図】      図６
2007178665.tif 000002
【特許請求の範囲】
【請求項１】
黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を前記転写ベルトから用紙に転写する転写手段と、前記転写ベルトの寄りを調整するベルト寄り調整手段と、を備えた画像形成装置であって、
前記各色の基準濃度値と前記転写ベルト面の基準濃度値とを保持する基準濃度値保持手段と、
前記各色の濃度補正用パッチを前記転写ベルトに形成する濃度補正用パッチ形成手段と、
前記ベルト寄り調整手段の近傍で前記各色の濃度補正用パッチと該濃度補正用パッチ近傍の前記転写ベルト面の濃度とを読み取る濃度センサと、
該濃度センサにより読み取られた前記転写ベルト面の濃度と前記基準濃度値保持手段に保持される前記転写ベルト面の基準濃度値とから濃度補正値を算出する補正値演算手段と、
該補正値演算手段により算出された濃度補正値に基づいて前記濃度センサにより読み取られた前記各色の濃度補正用パッチに対する前記濃度センサの出力値を補正する濃度センサ出力値補正手段と、
該濃度センサ出力値補正手段の補正値に基づいて前記各色の画像形成時の現像バイアスを可変する高圧電荷発生部と、
を備えたことを特徴とする画像形成装置。
【請求項２】
黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を前記転写ベルトから用紙に転写する転写手段と、前記転写ベルトの寄りを調整するベルト寄り調整手段と、を備えた画像形成装置であって、
前記各色の基準濃度値を保持する基準濃度値保持手段と、
前記各色の濃度補正用パッチを前記転写ベルトに形成する濃度補正用パッチ形成手段と、
前記ベルト寄り調整手段に一体に連結され該ベルト寄り調整手段の移動に応じて移動し、前記各色の濃度補正用パッチの濃度を読み取る濃度センサと、
該濃度センサにより読み取られた前記濃度補正用パッチの濃度と前記基準濃度値保持手段に保持される基準濃度とにより濃度補正値を算出する補正値演算手段と、
該補正値演算手段により算出された濃度補正値に基づいて前記濃度センサにより読み取られた前記各色の濃度補正用パッチに対する前記濃度センサの出力値を補正する濃度センサ出力値補正手段と、
該濃度センサ出力値補正手段の補正値に基づいて前記各色の画像形成時の現像バイアスを可変する高圧電荷発生部と、
を備えたことを特徴とする画像形成装置。
【請求項３】
黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を前記転写ベルトから用紙に転写する転写手段と、前記転写ベルトの寄りを調整するベルト寄り調整手段と、を備えた画像形成装置であって、
前記各色の基準濃度値を保持する基準濃度値保持手段と、
前記各色の濃度補正用パッチを前記転写ベルトに形成する濃度補正用パッチ形成手段と、
前記ベルト寄り調整手段の近傍で前記各色の濃度補正用パッチの濃度を読み取る濃度センサと、
前記ベルト寄り調整手段の移動方向と移動量を検出する位置センサと、
前記濃度センサにより読み取られた前記各色の濃度補正用パッチの濃度値を前記基準濃度値と前記位置センサの検出値とに基づいて補正する濃度センサ出力値補正手段と、
該濃度センサ出力値補正手段の補正値に基づいて前記各色の画像形成時の現像バイアスを可変する高圧電荷発生部と、
を備えたことを特徴とする画像形成装置。
【請求項４】
ベルト定着ユニットに、ベルト内においてトナーを用紙に溶融させる定着ローラの下流側に配置され、直径が１５ｍｍ以下で且つ前記ベルトとの接触角度が９０°以下である用紙分離用ローラを備えたことを特徴とする請求項１、２、又は３記載の画像形成装置。
【請求項５】
ベルト定着ユニットに、トナーを用紙に溶融させる定着ローラ内においてバックアップローラと対向する位置に配置されて回転する複数のローラを備えたことを特徴とする請求項１、２、又は３記載の画像形成装置。
【発明の詳細な説明】
【技術分野】
【０００１】
本発明は、画像形成装置に係わり、より詳しくはベルト寄り調整機構の近傍に濃度調整機能を備えた画像形成装置に関する。
【背景技術】
【０００２】
近年、カラープリンタ装置（カラー画像形成装置）が広く使用されるようになっている。特にタンデム方式のカラー画像形成装置は印字速度に優れていることから注目されている。
【０００３】
このような方式の画像形成装置では、イエロー（Ｙ）、マゼンダ（Ｍ）、シアン（Ｃ）の３色、又はブラック（Ｋ）を含めた４色の画像を順次転写し、重ね合わせて定着処理を行い、画像形成を行う。
【０００４】
ところで、この形式の画像形成装置では、副走査方向に移動する転写媒体（用紙）に画像形成を行うため、各色の位置合わせに精度を要する。また、カラー画像形成装置においては色合いも重要であり、一色のトナー濃度でも基準よりずれていると合成色の色合いが異なったものとなる。
【０００５】
したがって、上記のようなカラー画像形成装置においては、画像の整合、色合いの整合を図る必要がある。
そのような色合いの整合（トナーの付着量の調整）については、感光体ドラムに形成されたトナーの付着量を測定する濃度センサを用いるものが知られている。（例えば、特許文献１参照。）
この特許文献１の技術は、濃度センサの発光部から照射した光の、正反射成分と乱反射成分を受光部で検出し、その正反射成分と乱反射成分の差分からドラム上やベルト上のトナー付着量を検出している。
【０００６】
ベルト上のトナー付着量の検出に限っていえば、ベルト上に各色に濃淡複数種類の濃度パッチを作成して、この濃度パッチを濃度センサで測定する方法もよく知られている。
図１３は、そのような従来のベルト（用紙搬送ベルト又は中間転写ベルト）上に濃淡複数種類の濃度パッチを形成してその濃度を濃度センサで測定する場合の一般的は方法を示す図である。
【０００７】
同図に示すベルト１は、駆動ローラ２と従動ローラ３に掛け渡されて、駆動ローラ２により駆動され、矢印ａで示すように反時計回り方向に循環移動する。その上移動部に、不図示の画像形成部によりテスト用チャートとなる濃度パッチ４が形成されている。
【０００８】
そして、駆動ローラ２の外側面に近接して、濃度センサ５が不図示の本体フレームに固定されて配置されている。同図の状態からベルト１が循環移動するに従って濃度パッチ４が搬送されて移動し、濃度センサ５の検知領域を通過して、濃度パッチ４の濃度が計測される。
【０００９】
この計測された濃度値は、予め制御部の記憶装置に記憶されている基準濃度値と比較され、双方間に差が生じていれば、その差を補償するように濃度の補正が行われる。
ところで、上記のようにトナー付着量を検出する濃度センサ５は、照射部から照射した光の正反射成分と乱反射成分の差分を受光部で検出してトナーの量を測定している。したがって、濃度センサ５からベルト測定面までの距離や、濃度センサ５とベルト測定面との角度が変化すると、測定結果も変動することがある。
【００１０】
図１４(a),(b) は、ベルトには必須の装置として設けられているベルト寄り調整機構の１例を示す図である、同図(c) は、濃度測定時に発生する不具合を説明する図である。
尚、ベルト寄り調整機構は種々のものが実用化されているが、同図(a),(b) に示す方式が、構成が簡便で最も広く使用されている方式である。
【００１１】
この方式は、ベルト１を掛け渡されている複数のローラのうちの１個のローラでベルト寄りを矯正する。同図(a) は駆動ローラ２を示しており、この駆動ローラ２は不図示の駆動系に連結されている回転軸の一端６ａを、固定点７に位置決めされ、他端６ｂが上下左右に揺動するようになっていて、ベルト寄り調整機構を兼ねている。
【００１２】
すなわち、同図(b) に示すように、回転軸の他端６ｂは、上最大位置６ｂ´と下最大位置６ｂ" との間を揺動する。
同図(a),(b) には図示を省略した図１３に示すベルト１が、図１４(b) で右方に寄っていることがベルトセンサで検出されると、回転軸の他端６ｂは上最大位置６ｂ´方向に移動してベルトを左方に移動させる。
【００１３】
それとは逆にベルト１が、図１４(b) で左方に寄っていることがベルトセンサで検出されると、回転軸の他端６ｂは、下最大位置６ｂ" 方向に移動してベルトを右方に移動させる。
【００１４】
ところが、図１４(c) に示すように、回転軸の他端６ｂが上下いずれかに移動すると、他端６ｂ側の駆動ローラ２の端部も上下いずれかに揺動する、駆動ローラ２の端部が上下いずれかに揺動すると、ベルト１上に形成されている濃度パッチ４（図１３参照）と濃度センサ５との位置関係、及び濃度パッチ４に対する濃度センサ５からの照射光及び濃度センサ５によって検出される反射光の角度関係が変動する。
【００１５】
このように、濃度センサ５から測定面までの距離または濃度センサと測定面との角度が変化した場合、濃度センサ５の測定結果が変動してしまい、正しい濃度補正が行われなくなるという問題が発生する。
【００１６】
図１５(a),(b) は濃度パッチと濃度センサの出力の対応関係を示す図である。同図(a) は横軸にパッチ番号を示し、縦軸に濃度センサの出力を示している。同図(a) に示す黒四角のプロットは、ベルト１が基準位置つまり中心位置にあるときの、パッチ番号１番から８番までの濃度パッチに対応する濃度センサの出力を示している。
【００１７】
また、同図(a) の黒三角のプロットは、ベルト１が基準位置から上又は下に離れたときの、パッチ番号１番から８番までの濃度パッチに対応する濃度センサの出力を示している。
【００１８】
同図(a) に示すように、ベルト寄り調整機構が働いて、駆動ローラ２の回転軸の他端６ｂが上下いずれかに移動すると、濃度センサの出力が正しい値よりも低い値を出力することが判明する。
【００１９】
また、同図(b) は、横軸に濃度パッチが展開されている測定ポイントを示し、縦軸にパッチ番号１番から８番までの濃度パッチに対応する濃度センサの出力を示している。この測定ポイントによる濃度パッチ対応の濃度センサ出力の特性図は、後述する本発明の濃度センサの検知方式と比較するために示したものである。
【００２０】
図１６は、濃度センサがベルト寄り調整機構の動作から影響を受けないようにした従来の画像形成装置の構成を示す断面図である。同図に示す画像形成装置８は、４つの画像形成ユニット９を有する画像形成部と、この画像形成部の下方に配置された中間転写ベルト１１、その中間転写ベルト１１の更に下方に配置された給紙部１２を備えている。
【００２１】
中間転写ベルト１１は、駆動ローラ１３と従動ローラ１４に掛け渡され、下部のほぼ中央内側に配置されてテンションローラ１５によって張設されている。このテンションローラ１５に対し中間転写ベルト１１を挟んで転写ローラ１６が対向配置されている。
【００２２】
この画像形成装置８は、転写部を中間転写ベルト１１の下部中央に配置したことにより、従動ローラ１４にベルト寄り調整機構を設け、代わって駆動ローラ１３を位置固定して、この駆動ローラ１３に近接して濃度センサ１７が設けられている。
【００２３】
画像形成部により４色のカラー画像をベルト面に形成された中間転写ベルト１１が転写部に循環移動してくるタイミングで、給紙部１２に収容されている用紙が搬送路１８に沿って給送され、中間転写ベルト１１からカラー画像を転写される。
【００２４】
カラー画像を転写された用紙は、そのまま搬送路１８に沿って搬送され、定着部１９を通過しながら、熱と圧力で転写画像を紙面に定着されて、上部排紙トレー２１上に排出される。
【特許文献１】特開平０６−２５０４８０号公報（要約、図１、図２参照）
【発明の開示】
【発明が解決しようとする課題】
【００２５】
ところで、上記画像形成装置８の構成は、転写部を中間転写ベルト１１の下部中央に配置したことにより、装置全体が上下に伸びて腰高な構成となっている。
また、本来は転写部となるべき従動ローラ１４にベルト寄り調整機構を設けたことにより、その近傍を通過する搬送路１８が横に膨らんで配置されることになり、装置全体が横方向に大きくなっている。
【００２６】
このように、ベルトに対して濃度センサを配置すべき位置が限られているため濃度センサがベルト寄り調整機構の動作に影響を受けないようなハード構成にすると装置全体が大型化するという問題があった。
【００２７】
本発明の課題は、上記従来の実情に鑑み、ベルト寄り調整機構の近傍に濃度調整機能を備えながら精度の高い濃度補正を行うことができる画像形成装置を提供することである。
【課題を解決するための手段】
【００２８】
先ず、第１の発明の画像形成装置は、黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を上記転写ベルトから用紙に転写する転写手段と、上記転写ベルトの寄りを調整するベルト寄り調整手段と、を備えた画像形成装置であって、上記各色の基準濃度値と上記転写ベルト面の基準濃度値とを保持する基準濃度値保持手段と、上記各色の濃度補正用パッチを上記転写ベルトに形成する濃度補正用パッチ形成手段と、上記ベルト寄り調整手段の近傍で上記各色の濃度補正用パッチと該濃度補正用パッチ近傍の上記転写ベルト面の濃度とを読み取る濃度センサと、該濃度センサにより読み取られた上記転写ベルト面の濃度と上記基準濃度値保持手段に保持される上記転写ベルト面の基準濃度値とから濃度補正値を算出する補正値演算手段と、該補正値演算手段により算出された濃度補正値に基づいて上記濃度センサにより読み取られた上記各色の濃度補正用パッチに対する上記濃度センサの出力値を補正する濃度センサ出力値補正手段と、該濃度センサ出力値補正手段の補正値に基づいて上記各色の画像形成時の現像バイアスを可変する高圧電荷発生部と、を備えて構成される。
【００２９】
次に、第２の発明の画像形成装置は、黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を上記転写ベルトから用紙に転写する転写手段と、上記転写ベルトの寄りを調整するベルト寄り調整手段と、を備えた画像形成装置であって、上記各色の基準濃度値を保持する基準濃度値保持手段と、上記各色の濃度補正用パッチを上記転写ベルトに形成する濃度補正用パッチ形成手段と、上記ベルト寄り調整手段に一体に連結され該ベルト寄り調整手段の移動に応じて移動し、上記各色の濃度補正用パッチの濃度を読み取る濃度センサと、該濃度センサにより読み取られた上記濃度補正用パッチの濃度と上記基準濃度値保持手段に保持される基準濃度とにより濃度補正値を算出する補正値演算手段と、該補正値演算手段により算出された濃度補正値に基づいて上記濃度センサにより読み取られた上記各色の濃度補正用パッチに対する上記濃度センサの出力値を補正する濃度センサ出力値補正手段と、該濃度センサ出力値補正手段の補正値に基づいて上記各色の画像形成時の現像バイアスを可変する高圧電荷発生部と、を備えて構成される。
【００３０】
更に、第３の発明の画像形成装置は、黒、シアン、マゼンタ、イエローの各色により個々に画像を形成し、それら個々の画像を重ねたカラー画像を転写ベルト上に形成するカラー画像形成手段と、該カラー画像形成手段により形成されたカラー画像を上記転写ベルトから用紙に転写する転写手段と、上記転写ベルトの寄りを調整するベルト寄り調整手段と、を備えた画像形成装置であって、上記各色の基準濃度値を保持する基準濃度値保持手段と、上記各色の濃度補正用パッチを上記転写ベルトに形成する濃度補正用パッチ形成手段と、上記ベルト寄り調整手段の近傍で上記各色の濃度補正用パッチの濃度を読み取る濃度センサと、上記ベルト寄り調整手段の移動方向と移動量を検出する位置センサと、上記濃度センサにより読み取られた上記各色の濃度補正用パッチの濃度値を上記基準濃度値と上記位置センサの検出値とに基づいて補正する濃度センサ出力値補正手段と、該濃度センサ出力値補正手段の補正値に基づいて上記各色の画像形成時の現像バイアスを可変する高圧電荷発生部と、を備えて構成される。
【００３１】
上記第１〜第３の発明の画像形成装置は、いずれも、例えば、ベルト定着ユニットに、ベルト内においてトナーを用紙に溶融させる定着ローラの下流側に配置され、直径が１５ｍｍ以下で且つ上記ベルトとの接触角度が９０°以下である用紙分離用ローラを備えて構成され、また、例えば、ベルト定着ユニットに、トナーを用紙に溶融させる定着ローラ内においてバックアップローラと対向する位置に配置されて回転する複数のローラを備えて構成される。
【発明の効果】
【００３２】
第１の発明によれば、濃度パッチ周囲のベルト面の濃度センサ出力からベルト寄り調整機構を兼ねるベルト駆動ローラの動きを検出して濃度パッチの測定データを補正するので、ベルト寄り調整機構の近傍に濃度調整機能を備える小型化された構成であるにもかかわらず精度の高い濃度補正を行うことができるという利点がある。
【００３３】
また、第２の発明によれば、ベルト寄り調整機構を兼ねるベルト駆動ローラの動きと同じように濃度センサが動くように構成するので、濃度センサとベルト面距離や角度が常に変わらず、これにより、濃度パッチを常に正しく測定することができ、したがって、濃度パッチの測定データを補正することなく濃度補正ができるという利点がある。
【００３４】
また、第３の発明によれば、ベルト寄り調整機構を兼ねるベルト駆動ローラの動きを位置センサで検出して、その位置データから濃度パッチの測定データを補正するので、濃度補正の精度が向上するという利点がある。
【発明を実施するための最良の形態】
【００３５】
以下、本発明の実施の形態を、図面を参照しながら説明する。
（実施形態１）
図１は、本発明の実施形態１における濃度調整機能を備えたカラー画像形成装置（以下、単にプリンタという）の内部構成を説明する断面図である。
【００３６】
図１に示すプリンタ２０は、電子写真式で二次転写方式のタンデム型のカラー画像形成装置であり、画像形成部２２、中間転写ベルトユニット２３、及び給紙部２４で構成されている。
【００３７】
上記画像形成部２２は、同図の右から左へ４個の画像形成ユニット２５（２５Ｍ、２５Ｃ、２５Ｙ、２５Ｋ）を多段式に並設した構成からなる。
上記４個の画像形成ユニット２５のうち上流側（図の右側）の３個の画像形成ユニット２５Ｍ、２５Ｃ及び２５Ｙは、それぞれ減法混色の三原色であるマゼンタ（Ｍ）、シアン（Ｃ）、イエロー（Ｙ）の色トナーによるモノカラー画像を形成し、画像形成ユニット２５Ｋは、主として文字や画像の暗黒部分等に用いられるブラック（Ｋ）トナーによるモノクロ画像を形成する。
【００３８】
上記の各画像形成ユニット２５は、トナー容器（トナーカートリッジ）に収納されたトナーの色を除き全て同じ構成である。したがって、以下ブラック（Ｋ）用の画像形成ユニット２５Ｋを例にしてその構成を説明する。
【００３９】
画像形成ユニット２５は、最下部に感光体ドラム２７を備えている。この感光体ドラム２７は、その周面が例えば有機光導電性材料で構成されている。この感光体ドラム２７の周面近傍を取り巻いて、クリーナ２８、帯電ローラ２９、印字ヘッド３１、及び現像器３２の現像ローラ３３が配置されている。
【００４０】
現像器３２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には図では定かに示していないが下部へのトナー補給機構を備えている。
【００４１】
また、現像器３２の下部には側面開口部に上述した現像ローラ３３を備え、内部にトナー撹拌部材、現像ローラ３３にトナーを供給するトナー供給ローラ、現像ローラ３３上のトナー層を一定の層厚に規制するドクターブレード等を備えている。
【００４２】
中間転写ベルトユニット２３は、本体装置のほぼ中央で図の左右のほぼ端から端まで扁平なループ状になって延在する無端状の転写ベルト３４と、この転写ベルト３４を掛け渡されて転写ベルト３４を図の反時計回り方向に循環移動させる駆動ローラ３５と従動ローラ３６を備えている。
【００４３】
上記の転写ベルト３４は、トナー像を直接ベルト面に転写（一次転写）されて、そのトナー像を更に用紙に転写（二次転写）すべく用紙への転写位置まで搬送するので、ここではユニット全体を中間転写ベルトユニットといっている。
【００４４】
この中間転写ベルトユニット２３は、特には図示しないが、転写ベルト３４のループ内にベルト位置制御機構を備えている。ベルト位置制御機構は、転写ベルト３４を介して感光体ドラム２７の下部周面に押圧する導電性発泡スポンジから成る一次転写ローラ３８を備えている。
【００４５】
ベルト位置制御機構は、マゼンタ（Ｍ）、シアン（Ｃ）及びイエロー（Ｙ）の３個の画像形成ユニット２５Ｍ、２５Ｃ及び２５Ｙに対応する３個の一次転写ローラ３８を鉤型の支持軸を中心に同一周期で回転させる。
【００４６】
そして、ベルト位置制御機構は、ブラック（Ｋ）の画像形成ユニット２５Ｋに対応する１個の一次転写ローラ３８を上記３個の一次転写ローラ３８の周期と異なる回転周期で回転させて転写ベルト３４を感光体ドラム２７から離接させる。
【００４７】
すなわち、ベルト位置制御機構は、中間転写ベルトユニット２３の転写ベルト３４の位置を、フルカラーモード（４個全部の一次転写ローラ３８が転写ベルト３４に当接）、モノクロモード（画像形成ユニット２５Ｋに対応する一次転写ローラ３８のみが転写ベルト３４に当接）、及び全非転写モード（４個全部の一次転写ローラ３８が転写ベルト３４から離れる）に切換える。
【００４８】
上記の中間転写ベルトユニット２３の上面部のベルト移動方向最下流側に近接して濃度センサ３７が、本体装置のフレームに固定して配置されている。
また、上記の中間転写ベルトユニット２３には、上面部のベルト移動方向最上流側の画像形成ユニット２５Ｍの更に上流側に、ベルトクリーナ３９が配置されている。ベルトクリーナ３９は転写ベルト３４上に残留する廃トナーを不図示の廃トナー容器に回収する。
【００４９】
給紙部２４は、給紙カセット４１を備え、給紙カセット４１の給紙口（図の右方）近傍には、用紙取出ローラ４２、給送ローラ対４３、待機搬送ローラ対４５が配置されている。
【００５０】
待機搬送ローラ対４５の用紙搬送方向（図の鉛直上方向）には、転写ベルト３４を介して従動ローラ３６に圧接する二次転写ローラ４６が配設されて、用紙への二次転写部を形成している。
【００５１】
この二次転写部の下流（図では上方）側にはベルト式定着装置４７が配置されて、ベルト式定着装置４７の更に下流側には、定着後の用紙をベルト式定着装置４７から搬出する搬出ローラ対４８が配設されている。搬出ローラ対４８は、ベルト式定着装置４７から搬出した用紙を上部排紙トレー４９上に排出する。
【００５２】
図２は、上記構成のプリンタ１０における、内部の回路構成を示す図である。同図において、回路構成は、インターフェイス（Ｉ／Ｆ）５１、プリンタコントローラ部５２、ＥＥＰＲＯＭ５３、ＲＯＭ５４、操作パネル５５、ヘッドコントローラ部５６で構成されている。
【００５３】
プリンタコントローラ部５２には、本体装置１０の内部の適宜の位置に配設されている温湿度センサ５７と図１に示した濃度センサ３７が接続されている。また、図１には図示を省略したが、高圧電源を含む高圧ユニット５８が接続されている。また、他方のヘッドコントローラ部５６には、図１に示した４個の印字ヘッド３１が接続されている。
【００５４】
インターフェイス（Ｉ／Ｆ）５１は不図示のホスト機器から送られてくる印刷データを入力し、印刷データの中の画像データをヘッドコントローラ部５６に出力し、印刷データの中のコマンドをプリンタコントローラ部５２に出力する。
【００５５】
ＥＥＰＲＯＭ５３には後述する各種の基準濃度データや濃度の補正の調整値などが記憶され、ＲＯＭ５４には印刷プログラムや、制御プログラムが記憶されている。
ヘッドコントローラ部５６には、特には図示しないが、イエロー（Ｙ）、マゼンタ（Ｍ）、シアン（Ｃ）、クロ（Ｋ）に対応する４つの領域で構成されたフレームメモリを備えている。ヘッドコントローラ部５６は、インターフェイス（Ｉ／Ｆ）５１から入力される画像データに基づいて、イエロー（Ｙ）、マゼンタ（Ｍ）、シアン（Ｃ）、クロ（Ｋ）のビットマップデータを作成する。
【００５６】
そして、イエロー（Ｙ）のビットマップデータはフレームメモリのイエロー（Ｙ）の記憶エリアに記憶され、マゼンタ（Ｍ）のビットマップデータはフレームメモリのマゼンタ（Ｍ）の記憶エリアに記憶され、シアン（Ｃ）のビットマップデータはフレームメモリのシアン（Ｃ）の記憶エリアに記憶され、クロ（Ｋ）のビットマップデータはフレームメモリのクロ（Ｋ）の記憶エリアに記憶される。
【００５７】
プリンタコントローラ部５２は、本例のプリンタ１０の印刷制御及びシステム制御を行うＣＰＵを備えた中央制御部であり、特には図示しないが、時間カウンタ、数値カウンタ、レジスタ等が内蔵され、ＲＯＭ５４に記憶されているプログラムに従って各部の制御を行う。
【００５８】
このプリンタコントローラ部５２は、操作パネル５５に設けられた不図示のキー操作部からの操作信号を入力し、また、これも不図示の表示部に表示信号を出力する。
そして、プリンタコントローラ部５２は、インターフェイス（Ｉ／Ｆ）５１から供給されるコマンドに基づいて、イエロー（Ｙ）、マゼンタ（Ｍ）、シアン（Ｃ）、クロ（Ｋ）毎に、印字指令をヘッドコントローラ部５６に出力する。
【００５９】
ヘッドコントローラ部５６は、上記の印字指令に基づいて、イエロー（Ｙ）の印字データを画像形成ユニット２５Ｋの印字ヘッド３１に供給し、マゼンタ（Ｍ）の印字データを画像形成ユニット２５Ｍの印字ヘッド３１に供給し、シアン（Ｃ）の印字データを画像形成ユニット２５Ｃの印字ヘッド３１に供給し、クロ（Ｋ）の印字データを画像形成ユニット２５Ｋの印字ヘッド３１に供給する。そして、各画像形成ユニット２５によって前述の各色の印字が行われる。
【００６０】
また、ヘッドコントローラ部５６は、上記の印字データを各印字ヘッド３１に供給すると共に、その実印字ドット数等を、プリンタコントローラ部５２に通知する。
図３(a),(b) は、上記画像形成装置１０のプリンタコントローラ部５２において処理される濃度補正時の濃淡８種類の濃度パッチの印字画素の構成（仕様）を示す図である。
【００６１】
同図(a) は上から下に濃い方から淡い方へ番号１番から４番までの４種類の濃度パッチＰ１〜Ｐ４を示し、同図(b) は、上から下に、上記の次に濃い方から淡い方へ番号５番から８番までの４種類の濃度パッチＰ５〜Ｐ８を示している。いずれの濃度パッチＰ（Ｐ１〜Ｐ８）も８×８画素から成っている。
【００６２】
図４(a) は、上記の番号１番から８番までの濃淡８種類の濃度パッチＰ１〜Ｐ８が、画像形成ユニット２５によって生成され転写ベルト３４上に転写された状態を示す平面図であり、同図(b) は、その側面図である。
【００６３】
転写ベルト３４は、同図(a) に矢印ｂで示すように濃度センサ３７方向に走行する。したがって、濃度パッチＰ１〜Ｐ８は、濃度センサ３７によって、濃色の濃度パッチＰ１から順次淡い色の濃度パッチＰ２、Ｐ３、・・・、Ｐ８へと検知されていく。
【００６４】
また、図４(b) に示すように、本例の画像形成装置１０の構成では、ベルト寄り調整機構は駆動ローラ３５が兼ねるように構成されている。これにより、駆動ローラ３５は、転写ベルト３４の寄りを調整するために、その回転軸の同図(b) の奥行き方向向う側の端部を一定に位置決めされ、図面奥行き方向手前側の軸端部を図の矢印ｃで示すように上下動させる。
【００６５】
このように、ベルト寄り調整機構を駆動ローラ３５側に設けるのは、ベルト寄り調整のために転写ベルト３４が上下する部分を、画像を最終的に用紙へ転写する２次転写部分を構成する従動ローラ３６側に構築できないからである。
【００６６】
本例において、濃度センサ３７は、図１５(b) に示したように測定ポイントを計測しながら濃度パッチＰ１〜Ｐ８のパッチ面だけの濃度を検出するのではなく、濃度パッチ面とその前後の周囲の転写ベルト３４の面の濃度も検出する。
【００６７】
図５は、本例における濃度センサ３７による濃度検出値の例を示す図である。同図は横軸に測定ポイントを示し、縦軸にセンサ出力を示しているが、横軸に示す測定ポイントは、濃度パッチＰ１〜Ｐ８のパッチ面だけの濃度を検出するためのものではなく、参考までに示しているだけである。
【００６８】
図５の縦軸のセンサ出力に示すように、転写ベルト面に対応する濃度センサ３７の出力は出力Ｈを除いて全て１８０を示している。これは、転写ベルト３４の面に対応する濃度センサ３７の出力が１８０（基準値）になるように、濃度センサ３７の感度調整が予めなされているためである。
【００６９】
そして、濃度パッチＰ７とＰ８の間の転写ベルト面対応の濃度センサ出力Ｈが、およそ１７０と低下しているのは、ベルト寄りを補正するためにベルト寄り調整機構によって駆動ローラ３５の軸端が上下いずれかに移動したためである。そして、これによって転写ベルト３４の測定面と濃度センサ３７との距離及び角度が変位したためである。
【００７０】
したがって、転写ベルト面対応の濃度センサ出力Ｈの前後の濃度パッチＰ７とＰ８の濃度センサ出力も正常値を示していないことは明らかである。この補正方法（濃度調整方法）について以下に説明する。
【００７１】
尚、以下に述べる濃度調整は、電源投入時、使用環境変動時、消耗品交換時、規定印字枚数を印字後等に行われる。
図６は、画像形成装置１０のプリンタコントローラ部５２において処理される濃度調整時の処理を示すフローチャートである。
【００７２】
先ず、ＫＣＭＹの色の順で、濃度調整を行うように調整モードが設定される（Ｓ１）。これにより、以下に述べる濃度調整が先ず黒（Ｋ）から開始される。
上記に続いて、転写ベルト３４上に濃度補正用チャートを印字する（Ｓ２）。この処理では、黒（Ｋ）の図３(a),(b) に示した濃度パッチＰ１〜Ｐ８が画像形成ユニット２５Ｋで生成され、その濃度パッチＰ１〜Ｐ８が図４(a),(b) に示したように転写ベルト３４に転写される。
【００７３】
次に、プリンタコントローラ部５２は、濃度センサ３７でチャートと周辺ベルト面を測定する（Ｓ３）。
この処理では、例えば図５に示したような濃度パッチＰ１〜Ｐ８に対応する測定信号と、各濃度パッチ間の転写ベルト面に対応する測定信号とが濃度センサ３７からプリンタコントローラ部５２に出力される。
【００７４】
プリンタコントローラ部５２は、濃度センサ３７の上記出力に基づいて「（１８０／（（ベルト面Ａ出力＋ベルト面Ｂ出力）／２））＊パッチ出力」を計算し、濃度センサ値を補正する（Ｓ４）。
【００７５】
この処理では、補正対象となっている濃度パッチＰｎ（ｎ＝１、２、・・・、８）に先行する転写ベルト面に対応する濃度センサ３７の出力（ベルト面Ａ出力）と濃度パッチＰｎの後に続く転写ベルト面に対応する濃度センサ３７の出力（ベルト面Ｂ出力）とが加算され、この加算値が２で除算される。
【００７６】
これにより、濃度パッチＰｎの前後の転写ベルト面に対応する濃度センサ３７の出力の平均値が算出される。そして、その平均値で転写ベルト面対応出力の基準値である１８０が除算されて、転写ベルトが変位したことによる濃度センサ３７の出力の差分が算出される。
【００７７】
この差分に濃度パッチＰｎに対応する濃度センサ３７の出力値が乗算されることにより、濃度センサ３７の出力値が補正される。
続いて、プリンタコントローラ部５２は、上記補正された濃度センサ３７の出力値と、予めＥＥＰＲＯＭ５３に記憶されている基準濃度とを比較し、トナー濃度を補正すべき現像バイアス値を算出して、この算出した現像バイアス値をＥＥＰＲＯＭ５３の所定の記憶領域に格納する（Ｓ５）。
【００７８】
この処理では、基準濃度と比較された濃度パッチＰｎの印字濃度が基準濃度よりも薄い時は、薄い分濃度を濃くする現像バイアスに設定し、印字濃度が濃い時は濃い分濃度を薄くする現像バイアスに設定して濃度が調整される。
【００７９】
これにより、画像形成時には、黒（Ｋ）の画像が正しく再現される。
次に、プリンタコントローラ部５２は、ＣＭＹＫの各色について上記の処理が完了したか否かを調べ（Ｓ６）、まだ、完了していなければ（Ｓ６がＮＯ）、処理Ｓ２に戻って、処理Ｓ２〜Ｓ６により、次の色の濃度調整を行う。
【００８０】
処理Ｓ６の判別がＮＯとなって処理Ｓ２〜Ｓ６が繰り返されることによりＣＭＹＫの各色について濃度調整処理が完了すると（Ｓ６がＹＥＳ）、この濃度調整処理が終了される（Ｓ７）。
【００８１】
図７(a) は、上記の処理Ｓ３における濃度パッチＰｎに前後する転写ベルト面に対応する濃度センサ３７の出力（ベルト面出力）の値と、当該濃度パッチＰｎに対応する濃度センサ３７の出力（センサ出力補正前）の値と、処理Ｓ４において補正された濃度センサ３７の出力（センサ出力補正後）の値を示す図表である。
【００８２】
同図(a) に示すように、Ｈに対応するベルト面出力が基準値１８０から大きくずれて、１６４．００となっている。このベルト面出力と基準値とによって、濃度パッチＰ７に対応するセンサ出力補正前の値１２８．４０が、大きく修正されてセンサ出力補正後の値１３４．７２となっている。
【００８３】
濃度パッチＰ８についても同様にセンサ出力補正前の値１５０．６７が、大きく修正されてセンサ出力補正後の値１５７．８３となっている。
他の濃度パッチについても、前後のベルト面出力が基準値よりも、やや低く若干の修正はされているが、濃度パッチＰ７やＰ８のように大きな補正ではない。
【００８４】
図７(b) には、上記の図表から得られるセンサ出力補正前の値（×印のプロット）とセンサ出力補正後の値（○印のプロット）のグラフである。濃度パッチＰ７とＰ８のセンサ出力補正前の基準からずれた値が、センサ出力補正後の値では、直線状に伸びる正しい値となって示されている。
【００８５】
このように、ベルト寄り調整機構を備えた駆動ローラのベルト面からの濃度パッチ測定でも、濃度パッチだけでなくベルト面の濃度も同時に観測することによってセンサ出力を正しく補正することができ、これにより実画像形成時には、正しい濃度の画像が形成されるように現像バイアスを補正することが可能となる。
【００８６】
（実施形態２）
図８(a) は、実施形態２におけるプリンタの濃度補正機構を示す斜視図であり、同図(b) は、その側面図である。尚、プリンタ本体のハード構成は、濃度補正機構の部分を別にすれば図１及び図２に示したプリンタ２０と同一である。
【００８７】
また、図８(a),(b) には、図１及び図４で示した構成と同一の構成又は機能の部分には、図１及び図４と同一の番号を付与して示している。
図８(a),(b) に示すように、本例の濃度補正機構おいては、駆動ローラ３５の支持軸５９に、逆コの字状の保持部材６１が固定して連結されている。この保持部材６１の中央部に、濃度センサ３７が転写ベルト３４の端部に対向して固定されている。
【００８８】
同図(b) に示すように、駆動ローラ３５は、転写ベルト３４の寄りを調整するために、その支持軸５９の図面奥行き方向向う側端部を一定に位置決めされ、図面奥行き方向手前側の端部を図の矢印ｄで示すように上下に揺動する。
【００８９】
濃度センサ３７は、保持部材６１を介して駆動ローラ３５の支持軸５９に固定されているので、駆動ローラ３５の支持軸５９が矢印ｄで示すように上下に揺動すると、その揺動に応じて濃度センサ３７も矢印ｅで示すように上下に揺動する。
【００９０】
つまり、ベルト寄り調整機構が働いて転写ベルト３４の駆動ローラ３５外周面に接するベルト部が上下しても、濃度センサ３７も同じく上下するので、濃度パッチＰｎを精度良く測定できる。
【００９１】
この場合は、測定された濃度パッチＰｎに対応する濃度センサ３７の出力値を補正する必要はなく、濃度センサ３７の出力値をそのままＥＥＰＲＯＭ５３内に格納されている基準濃度値と比較する。
【００９２】
そして、濃度センサ３７の出力値が示す濃度が基準濃度よりも薄い時は薄い分濃度を濃くする現像バイアスに設定する。また、濃度センサ３７の出力値が示す濃度が基準濃度よりも濃い時は濃い分濃度を薄くする現像バイアスに設定して、印字実行時の濃度を調整する。
【００９３】
（実施形態３）
図９は、実施形態３におけるプリンタの内部の回路構成を示す図である。尚、プリンタのハード構成は、濃度補正機構の部分を別にすれば図１及び図２に示したプリンタ２０と同一である。
【００９４】
図９において、回路構成は、図２に示した回路構成にローラ位置センサ６２が追加されている。他の部分は図２に示した回路構成と同一であるので、番号の図示と説明は省略する。
【００９５】
図１０(a) は、実施形態３におけるプリンタの濃度補正機構を示す斜視図であり、同図(b) は、その側面図、同図(c) はローラ位置センサの出力を示す図である。
尚、プリンタ本体のハード構成は、濃度補正機構の部分を別にすれば図１及び図２に示したプリンタ２０と同一である。また、図１０(a),(b) には、図１及び図４で示した構成と同一の構成又は機能の部分には、図１及び図４と同一の番号を付与して示している。
【００９６】
図１０(a),(b) に示すように、本例の濃度補正機構においては、駆動ローラ３５の支持軸５９の上下動の距離を検出するローラ位置センサ６２が、不図示の本体フレームに固定されて支持軸５９の真下に配設されている。また、濃度センサ３７の配置は、図４(a),(b) の場合と同一である。
【００９７】
本例においては、図１０(b) の矢印ｆに示すように、駆動ローラ３５の支持軸５９が上最大位置と下最大位置との間を揺動すると、同図(c) に示すようにローラ位置センサ６２の出力が変動する。
【００９８】
同図(c) は、横軸に駆動ローラ３５の支持軸５９の上最大位置と下最大位置間を１４等分し、下位置から上位置までを「１」から「１５」の数値で示している。そして縦軸に下位置「１」から上位置「１５」に対応するローラ位置センサ６２の出力を示している。
【００９９】
同図(c) に示すように、ローラ位置センサ６２の出力は下位置「１」から上位置「１５」まで直線的に変化する。
本例のこの構成において、駆動ローラ３５の支持軸５９の位置を、ローラ位置センサ６２が検出し、その検出データをもとに、濃度パッチＰｎに対応する濃度センサ３７の出力データを補正することができ、濃度補正が正確に行われる。
【０１００】
尚、上記の実施形態１〜３では、濃度センサ３７は正反射成分と乱反射成分の差分を検出しトナーの量を測定するとしたが、これに限ることなく、正反射分成分のみで濃度を検出する濃度センサ、または乱反射分成分のみで濃度を検出する濃度センサでも良い。
【０１０１】
（実施形態４）
ところで上記プリンタにおける定着装置においては、以下のような構成になっている。
図１１(a),(b) は、実施形態４としての定着装置の構成を２例示す図である。同図(a) に示す定着装置６３は、ベルト定着方式を採用しており、ヒータ６４、ヒータローラ６５、定着ベルト６６、定着ローラ６７、プレスローラ６８、及び分離軸６９から構成されている。
【０１０２】
図１１(a) に示すように、ヒータ６４はヒータローラ６５の中に装着されている。定着ベルト６６は、図の反時計回り方向に回転している。用紙は搬送ルート７１に従って図の下から上に搬送される。
【０１０３】
ヒータ６４により加熱されたヒータローラ６５は、定着ベルト６６を加熱する。定着ローラ６７は、プレスローラ６８と協働して、プレスローラ６８と定着ベルト６６の間を通過する用紙上のトナー像を、熱と圧力で用紙に定着させる。
【０１０４】
定着の終了した用紙は、プレスローラ６８と定着ベルト６６の回転によって定着部から上方に送出される。
上方に送出された用紙は、分離軸６９が形成する大きい曲率のために容易に定着ベルト６６から分離され、搬出ローラ対４８に搬送を引き継がれて機外に排出される。
【０１０５】
このように、分離軸６９は、定着の終了した用紙が定着ベルト６６に巻き付かないように、用紙を定着ベルト６６から強制的に剥がす役目を果たしている。
上記の分離軸６９は、大きい曲率を必要とするので直径１５ｍｍ以下、定着ベルト６６との接触角度は９０°以下が望ましい。こうして定着部を通過後の用紙は定着ベルト６６より分離され、搬出ローラ対４８により搬送を引き継がれ上部排紙トレー４９上に排出される。
【０１０６】
尚、定着ローラ６７が、小径のローラであれば定着ローラ６７を通過直後で、用紙は容易に分離されるが、定着ローラ６７を小径のローラにすると把持部の領域を十分に採れず定着性が悪くなる。
【０１０７】
把持部の幅広い領域を必要とする高速機には、従来の定着ローラ６７だけの構成では、十分な幅広い領域の把持部を確保できない。そうかといって、幅広い把持部を確保出来るスポンジローラで定着ローラを構成すると耐久性に問題が残る。
【０１０８】
また、爪分離方式の定着装置であると、用紙によって分離爪が押され定着ローラが傷つけられる虞がある。また、分離爪と定着ローラとの接触部の痕が画像に現れやすく画像品質を低下させる虞もある。
【０１０９】
また、用紙の巻付きを検出するセンサ（フォトセンサ）を使用する例も見られるがフォトセンサを使用するとコスト高となる。
上記のような不具合を解消するために本例においては図１１(a) に示すように小径の分離軸６９が設けられたものである。
【０１１０】
尚、このような小径の分離軸６９に代えて、図１１(b) に示すように、分離ステー７２に置き換えても良い。
ただし、分離ステー７２は回転しないので、定着ベルト６６の裏面との摩擦抵抗が生じる。したがって、分離ステー７２の表面には、摩擦係数の小さい且つ摺動性の高い樹脂を用いるか、又は板金の表面にテフロン（登録商標）等の塗装又はテープを貼着したものが好ましい。
【０１１１】
いずれにしても、定着ローラへの用紙の巻付きは、軽度の巻付きでも用紙ジャムを引き起こしやすく、その後の回復処理に手間取ることになる。重度の巻付きだと定着装置を分解しなければならない状態に陥ることになる。
【０１１２】
この不具合を、本例の図１１(a),(b) に示す小径の分離軸６９又は分離ステー７２の配設によって容易に解消することができる。
図１２(a),(b) は、実施形態４としての定着装置の他の構成を２例示す図である。同図(a) に示す定着装置は、ヒータ７３を中心部に内蔵したドラム状板金７４、ドラム状板金７４の変形部に保持されるローラ保持部材７５、このローラ保持部材７５に保持された二個の定着ローラ７６ａ及び７６ｂを内蔵した円筒状の定着ベルト７７を備えている。
【０１１３】
そして、この円筒状の定着ベルト７７内の上記二個の定着ローラ７６ａ及び７６ｂに対向してバックアップローラ７８が配置されている。このバックアップローラ７８は他のヒータ７９を内蔵している。
【０１１４】
上記のドラム状板金７４は、伝熱性の良いアルミニウム等の材質から成り、定着ベルト７７との摩擦抵抗を軽減するように、ドラム状板金７４の外側は表面精度を高め、更にグリース塗布を行うにようしても良い。
【０１１５】
上記の定着ベルト７７は、バックアップローラ７８により、同方向に回転するように設定されている。定着ベルト７７の材質は、ポリイミドで構成されている。
定着ローラ７６ａと定着ローラ７６ｂは、バックアップローラ７８との対向部における用紙把持面を広くするために、バックアップローラ７８に対向して並列に配置されている。また、定着ローラ７６ａとローラ７６ｂは、定着ベルト７７に負荷をかけないように双方ともに回転している。
【０１１６】
また、バックアップローラ７８は、その中心が、定着ローラ７６ａと定着ローラ７６ｂが並列に配置された中間点を含む面内に配置されるように配設される。これにより、定着ローラ７６ａとバックアップローラ７８との接点から、定着ローラ７６ｂとバックアップローラ７８との接点までに間に、用紙把持部が形成される。
【０１１７】
用紙搬送ルート７１に沿って搬送される用紙は、定着ローラ７６ａ及び７６ｂとバックアップローラ７８との接点間において幅広く把持され、紙面に転写されているトナー像を熱と圧力で紙面に定着される。
【０１１８】
このように、本案の定着装置は、ベルト定着方式を採用し、ドラム状板金７４の中にヒータ７３が装着されている。これにより、定着ベルト７７が加熱されて、定着ローラ７６ａ及び７６ｂとバックアップローラ７８との間を通過する。
【０１１９】
バックアップローラ７８は、内蔵するヒータ７９により、ドラム状板金７４内のヒータ７３の熱量不足を補っている。
以上の構成で高速化等における定着把持部の把持不足が補える定着装置を提供することが可能となる。
【０１２０】
図１２(b) は、変形例として、ドラム状板金７４の代わりにニッケル電鋳管８１を定着ベルト７７内に配置した例を示している。その他の構成及び動作は同図(a) の場合と同様である。
【０１２１】
尚、定着ローラ７６ａ及び７６ｂは、上述したように回転するようにしてもよいが、回転しない構成としてもよい。その場合は、定着ベルト７７と接する部分にテフロン（登録商標）シートを貼るか、ＰＦＡチューブで覆うなど、摩擦係数の小さな部材を介装するとよい。
【図面の簡単な説明】
【０１２２】
【図１】実施形態１におけるベルト式定着装置を備えたカラー画像形成装置（プリンタ）の内部構成を説明する断面図である。
【図２】実施形態１におけるプリンタの内部の回路構成を示す図である。
【図３】(a),(b) は実施形態１におけるプリンタのプリンタコントローラ部において処理される濃度補正時の濃淡８種類の濃度パッドの印字画素の構成を示す図である。
【図４】(a) は実施形態１におけるプリンタにおいて濃淡８種類の濃度パッドが画像形成ユニットによって転写ベルト上に形成された状態を示す平面図、(b) はその側面図である。
【図５】実施形態１におけるプリンタの濃度センサによる濃度検出値の例を示す図である。
【図６】実施形態１におけるプリンタのプリンタコントローラ部において処理される濃度調整時の処理を示すフローチャートである。
【図７】(a) は濃度パッチに前後する転写ベルト面対応の濃度センサ出力（ベルト面出力）と当該濃度パッチ対応の濃度センサ出力（センサ出力補正前）と補正処理により補正された濃度センサ出力（センサ出力補正後）の値を示す図表、(b) はそのグラフである。
【図８】(a) は実施形態２におけるプリンタの濃度補正機構を示す斜視図、(b) はその側面図である。
【図９】実施形態３におけるプリンタの内部の回路構成を示す図である。
【図１０】(a) は実施形態３におけるプリンタの濃度補正機構を示す斜視図、(b) はその側面図、(c) はローラ位置センサの出力を示す図である。
【図１１】(a),(b) は実施形態４としての定着装置の構成を２例示す図である。
【図１２】(a),(b) は実施形態４としての定着装置の他の構成を２例示す図である。
【図１３】従来のベルト（用紙搬送ベルト又は中間転写ベルト）上に濃淡複数種類の濃度パッチを形成してその濃度を濃度センサで測定する場合の一般的は方法を示す図である。
【図１４】(a),(b) はベルトには必須の装置として設けられているベルト寄り調整機構の１例を示す図、(c) は濃度測定時に発生する不具合を説明する図である。
【図１５】(a),(b) は濃度パッチと濃度センサの出力の対応関係を示す図である。
【図１６】濃度センサがベルト寄り調整機構の動作から影響を受けないようにした従来の画像形成装置の構成を示す断面図である。
【符号の説明】
【０１２３】
１      ベルト
２      駆動ローラ
３      従動ローラ
４      濃度パッチ
５      濃度センサ
６ａ    回転軸の一端
６ｂ    回転軸の他端
７      固定点
８      画像形成装置
９      画像形成ユニット
１１    中間転写ベルト
１２    給紙部
１３    駆動ローラ
１４    従動ローラ
１５    テンションローラ
１６    転写ローラ
１７    濃度センサ
１８    搬送路
１９    定着部
２０    画像形成装置
２１    上部排紙トレー
２２    画像形成部
２３    中間転写ベルトユニット
２４    給紙部
２５（２５Ｍ、２５Ｃ、２５Ｙ、２５Ｋ）  画像形成ユニット
２７（２７ｍ、２７ｃ、２７ｙ、２７ｋ）  感光体ドラム
２８    クリーナ
２９    帯電ローラ
３１    印字ヘッド
３２    現像器
３３    現像ローラ
３４    転写ベルト
３５    駆動ローラ
３６    従動ローラ
３７    濃度センサ
３８    一次転写ローラ
３９    ベルトクリーナ
４１    給紙カセット
４２    用紙取出ローラ
４３    給送ローラ対
４５    待機搬送ローラ対
４６    二次転写ローラ
４７    ベルト式定着装置
４８    搬出ローラ対
４９    上部排紙トレー
５１    インターフェイス（Ｉ／Ｆ）
５２    プリンタコントローラ部
５３    ＥＥＰＲＯＭ
５４    ＲＯＭ
５５    操作パネル
５６    ヘッドコントローラ部
５７    温湿度センサ
５８    高圧ユニット
Ｐ（Ｐ１〜Ｐ８）  濃度パッチ
５９    支持軸
６１    保持部材
６２    ローラ位置センサ
６４    ヒータ
６５    ヒータローラ
６６    定着ベルト
６７    定着ローラ
６８    プレスローラ
６９    分離軸
７１    用紙搬送ルート
７２    分離ステー
７３    ヒータ
７４    ドラム状板金
７５    ローラ保持部材
７６ａ、７６ｂ  定着ローラ
７７    定着ベルト
７８    バックアップローラ
７９    ヒータ
８１    ニッケル電鋳管
【図２】
2007178665.tif 000003
【図６】
2007178665.tif 000004
【図７】
2007178665.tif 000005
【図９】
2007178665.tif 000006
【図１１】
2007178665.tif 000007
【図１２】
2007178665.tif 000008
【図１】
2007178665.tif 000009
【図３】
2007178665.tif 000010
【図４】
2007178665.tif 000011
【図５】
2007178665.tif 000012
【図８】
2007178665.tif 000013
【図１０】
2007178665.tif 000014
【図１３】
2007178665.tif 000015
【図１４】
2007178665.tif 000016
【図１５】
2007178665.tif 000017
【図１６】
2007178665.tif 000018